(57)【要約】  ホースを使用する、揚水のためのシステム。【特許請求の範囲】
【請求項１】
少なくとも１つのホースを通して、水が上昇位置から下降位置へと圧送され、
前記少なくとも１つのホースは、前記下降位置において、少なくとも１つのタービンを駆動させ、
前記少なくとも１つのタービンは、ポンプを、シャフトを介して駆動させ、
前記シャフトは少なくとも１つの第２のホースに、水を汲み入れ、
前記少なくとも１つの第２のホースは、前記下降位置から前記上昇位置へと水を方向付ける、
揚水システム。
【請求項２】
必要とされる冷水は、装置を用いて取得され、
前記装置において、少なくとも１つのタービンを駆動させる、少なくとも１つの「下降」ホースを通して、水が圧送され、
前記少なくとも１つのタービンは、少なくとも１つの第２の上昇ホースに水を汲み入れるシャフトを介してポンプを駆動させる、ＯＴＥＣ、ＬＴＴＤ、またはＳＷＡＣシステム。
【請求項３】
水中プラットフォームから、前記水が前記少なくとも１つの下降ホースを通して下向きに圧送される、請求項２に記載のＯＴＥＣ、ＬＴＴＤ、またはＳＷＡＣシステム。
【請求項４】
前記少なくとも１つの下降ホースを下向きに圧送される前記水は、前記ＯＴＥＣ、ＬＴＴＤ、またはＳＷＡＣシステムによって生成される冷廃水である、請求項２または３に記載のＯＴＥＣ、ＬＴＴＤ、またはＳＷＡＣシステム。
【請求項５】
前記少なくとも１つの下降ホースの前記水が、前記タービンから、ホースを通して、前記水の吸入領域から離れた、代替の場所へと方向付けられる、請求項２から４のいずれか一項に記載のＯＴＥＣ、ＬＴＴＤ、またはＳＷＡＣシステム。
【発明の詳細な説明】
【技術分野】
【０００１】
本発明は、水供給システムに関する。
【背景技術】
【０００２】
本明細書の内容は元々、すべて複数の深海水市場に関連する、様々な熱交換器の設計および様々な揚水方法、揚水のためのケーブルおよびコンテナの複数のシステムを設置するための複数の方法について記載していた。
【０００３】
本明細書は、あらゆる海洋熱システム、ＯＴＥＣ（海洋温度差発電）オープンサイクルまたはクローズドサイクル、低温熱脱塩、および海水を利用する空調および養殖／水産養殖といったものにまで関連すると考えられるべきである。
【０００４】
例えば、上記熱交換器の設計およびそのシステムの場所は、海面上または海面下に関わらず、複数の熱交換器を使用する、任意の場所における陸上または海上における、あらゆる海洋熱システムに関連すると考えられるべきである。
【０００５】
本明細書は、日本での出願のために、短くされており、現在、揚水の新規方法および同一市場に関連付けられた様々な新規な熱交換器を含む。
【発明の概要】
【０００６】
［揚水のためのホースシステム］
２層ホースは２つの層を有し、好ましくはＥＰＤＭで作成され、外側は、ポリウレタンで充填された空隙を含む。提案されるシステムは、２つのホースを備える。
【０００７】
１つのホースは、水を下方に供給し、水車を回転させる。水車は、ポンプに接続されたシャフト、好ましくは遠心分離機を駆動する。好ましくは、この接続は複数のギアを組み込み、少なくとも部品の一部、例えば、筐体はプラスチックで作成され、シャフトはチタニウムで作成される。このポンプは、流体を吸引し、そこから、ホースの上方へと通し、海面へ送る。
【０００８】
いったん当該システムが完全に稼働状態になると、下向きホースは冷廃水を下向きに供給する。下向きホースは、冷水吸入口の箇所で、冷廃水を放出するのではなく、同様な温度を持つ、より高水位の領域か、あるいは上記吸入口から好適な距離離れた場所へ、冷廃水を戻す。
【０００９】
吸入システムは、少なくとも１つの「廃棄物グリッド」を特徴とする。
【００１０】
［水中管式熱交換器の設計］
複数の熱交換器の設計は、複数の熱交換器を使用する、あらゆる海洋熱システムに適用される。ほとんど溶接箇所のない、水中熱交換器である、当該熱交換器ユニットは、外部から見ると、円筒体または流線形物体の外観を有する。当該熱交換器の筐体は、好ましくは、プラスチックで作成される。
【００１１】
複数のＯＴＥＣクローズドサイクルシステムにおいては、通常アンモニアが使用されるが、これらの設計はあらゆる冷媒作動流体に適用可能である。
【００１２】
当該ユニット内には、複数の直管またはコイル管が存在する。複数の管の複数の端部のみが、プラスチック前面の背後で金属板に対し、溶接される。複数の管は、上記プラスチックを貫通し、押出溶接が使用され、上記プラスチックを複数の管にシールし、複数の境界セクションから金属溶接を区別する。
【００１３】
境界セクションは、複数の管の外部を、冷たい海水または温かい海水にさらす。海水は、上記複数のユニットを通って圧送される。
【００１４】
複数のアルミニウム製の管は、Ｄｕｒａ  ｆｉｘまたは同様の製品を使用して、金属板に溶接され得る。Ｄｕｒａ  ｆｉｘを使用すると、複数の管を破壊することなく、溶接部分を再加熱することにより、異なる融点を利用して、溶接を破壊することができる。このようにすることで、複数の接合領域を容易に取り換えられる。原則として、溶接領域は海水にさらされないので、プラスチックで形成されたシールは、複数の接合部に対する腐食を防ぐが、上記接合部が腐食した場合、取り換えられる。
【００１５】
複数の管の複数の端部は、アンモニアを輸送可能な複数のホースに接合されることが好ましい。あるいは、複数の管の複数の端部は、圧力容器に保持され、圧力容器が複数のアンモニア輸送管に接合される。アンモニアが上から下へ、またはその逆に通過するよう、２つのユニットは接合され得る。
【００１６】
冷水／温水は、上下または横方向に圧送され得る。境界コンテナに接合された複数のフランジは、複数の水供給および抽出ホースをユニットに接合する。複数のポンプは、円筒体の上方または下方領域に格納され得る。
【００１７】
水が横方向に圧送される場合、複数の管を支持すべく、境界チャンバ内に、複数の追加のプラスチックボードを配置することで、複数の追加パーティションがコンテナ内に形成されてよい。これらのボードは、複数の管を貫通させるための複数の穴を有する状態で、および、必要に応じて水を通過させるようにするための複数の追加の穴を有する状態で、あらかじめ作成されてよい。
【００１８】
水が複数の管と同一方向、すなわち上部から底部に通過する場合、大量の水を収容すべく、コンテナはその上部および底部において拡大され、例えば、複数の結合された熱交換器の管は、面積１ｍ２を形成する。主要な境界ユニットは約１ｍ２である。しかし、当該ユニットの複数の端部は１．２５ｍ２である。
【００１９】
ユニットの場所：供給システムの側面に置かれる。各ユニットは、その底部によって、ロープに保持され、海底ではなく、水平ロープ（複数の熱交換器を保持する）までのみ下降してよく、複数のユニットは複数のロープによって、好ましくは各ユニットと、少なくとももう１つのユニットとの間にカテナリー係留を用いて保持される。
【００２０】
Ｘ個の熱交換器が単一のタービンユニットに接続される。単一のタービンユニットも、プラスチックのケースに入れられ、水中ブイのようなものまたは一点係留ブイ内のコンテナであってよく、また海面におけるユニットであってよい（複数のオイルタンカーを係留させるための使用法と同様）。
【００２１】
熱交換器の筐体は、好ましくは、その上部および底部において浮力を含み、多数／単一のブイ係留として動作する。筐体が流線形物体の場合、当該物体は回転可能であるべきである。各円筒ユニットは容易に切断および取り換えでき、あるいは修理できる。
【００２２】
複数のユニットの場所は、カテナリー係留の複合効果に対し、供給システムプラットフォームの動きを低減させ、電流遮断として動作させることを可能にする。
【００２３】
より細部については、アルミニウムに代替する複数の金属を使用できる。
【００２４】
アンモニアが水平方向に、水が垂直方向に運搬されるよう、システムのレイアウトは逆にされてよい。
【００２５】
［複数の熱交換器の設計２］
複数の蒸発器および複数の凝縮器について
以下の点を除き、上記と同様である。
【００２６】
管の複数の端部は、「複数のケーブルエントリスリーブ」または「複数のフランジ付き軸受筒」のような、ゴムまたはプラスチックの端部アタッチメントを通して配置される。複数のスリーブが１ピースとなるよう、複数のケーブルエントリスリーブはｅｐｄｍ（好ましくはＰｅｒｌａｓｔ社のエラストマー製品）製等の追加の平坦なシートに熱溶接または熱接着されることが好ましい。アタッチメントが少し伸びるように、直径のわずかな違いにより、複数のアタッチメントは管を把持可能であることが好ましい。アタッチメントは、好適な接着剤を用いて、複数の管に接着されることが好ましい。アタッチメントと上記ゴム製の平坦なピースを複数の個別のエンティティとして生成するのではなく、これら２つの部品は単一アイテムとして生成されることが好ましい。
【００２７】
ゴム／プラスチックの複数のアタッチメントは、硬質プラスチック（ＨＤＰＥまたはＰＴＦＥ等）製の２枚のシート間で保持され、これらシートの両方は、すべての管を貫通させるべく、穿孔される。プラスチックは、その形状が、ガス流効率および生産容易性を最適化するように、生成されることが好ましい。
【００２８】
チャンバをシールすべく、フランジ付きガスケットがガス側に配置される。
【００２９】
［シーリングの複数の選択肢］
好ましくはＰｅｒｌａｓｔ社の接続金具が、複数の管がシールされるべく複数の管を十分に把持する。そうでない場合、接着シーラントを複数の端部周囲に使用可能である。
【００３０】
［冷水および温水の複数の流れ］
熱交換器の複数のポンプは、大量の水のため、複数のプロペラポンプを使用することが好ましい。冷水または温水のための熱交換器の開口部は、通常の熱交換器より大きい。
【００３１】
［複数の結論］
金属溶接は不要である。
圧力／温度降下制御
【国際調査報告】
2016505751.tif 000002
2016505751.tif 000003